(57)【要約】【課題】摩擦係数が小さい屋根材の上にも安定して設置できる太陽電池モジュールを得ること。【解決手段】受光面側の透光性基板と裏面側の耐候性基板との間に複数の太陽電池セルを封止した太陽電池パネル８と、太陽電池パネル８の周縁部に装着されるフレーム９とを備える太陽電池モジュールであって、フレーム９よりも摩擦係数が大きい合成樹脂を材料として形成され、フレーム９の太陽電池パネル８の裏面側に設置される滑り止め治具１０を備える。【選択図】図３
2012256652.tif 000002
【特許請求の範囲】
【請求項１】
受光面側の透光性基板と裏面側の耐候性基板との間に複数の太陽電池セルを封止した太陽電池パネルと、該太陽電池パネルの周縁部に装着されるフレームとを備える太陽電池モジュールであって、
前記フレームの前記太陽電池パネルの裏面側に設置される滑り止め部材を備えることを特徴とする太陽電池モジュール。
【請求項２】
前記太陽電池パネルは矩形状であり、
前記フレームは前記太陽電池パネルの四辺の各々に装着され、
前記滑り止め部材が、前記フレームが形成する四辺形の四隅に配置されることを特徴とする請求項１記載の太陽電池モジュール。
【請求項３】
前記滑り止め部材を、前記フレームに着脱自在に設置することを特徴とする請求項１又は２記載の太陽電池モジュール。
【請求項４】
前記フレーム及び前記滑り止め部材の一方は係合部を有し、他方は被係合部を有し、前記滑り止め部材は前記係合部と前記被係合部との係合によって前記フレームに固定されることを特徴とする請求項３記載の太陽電池モジュール。
【請求項５】
前記滑り止め部材が、前記フレームに貼り付けられることを特徴とする請求項１又は２記載の太陽電池モジュール。
【発明の詳細な説明】
【技術分野】
【０００１】
本発明は、複数の太陽電池セルを配列して配線で接続した太陽電池セルアレイの表裏面を封止材で挟み、さらに表面封止材側はガラス、裏面封止材側はバックシートで挟み込み、外周部に外枠フレームをはめ込んだ太陽電池モジュールに関する。
【背景技術】
【０００２】
一般的な太陽電池モジュールのフレームの材質には、アルマイト処理を施したアルミニウムが使用されており、フレームは下面が平面の構造を持つ。
【０００３】
上記構造の対象電池モジュールの一例として、特許文献１に開示される発明がある。
【先行技術文献】
【特許文献】
【０００４】
【特許文献１】特開２００６−０６３６９２号公報
【発明の概要】
【発明が解決しようとする課題】
【０００５】
しかしながら、上記従来の太陽電池モジュールは、フレームがアルミニウム材であり、かつフレーム下面が平面であるため、瓦などの摩擦係数が小さい屋根材の上に安定して設置することが難しいという問題があった。
【０００６】
本発明は、上記に鑑みてなされたものであって、摩擦係数が小さい屋根材の上にも安定して設置できる太陽電池モジュールを得ることを目的とする。
【課題を解決するための手段】
【０００７】
上述した課題を解決し、目的を達成するために、本発明は、受光面側の透光性基板と裏面側の耐候性基板との間に複数の太陽電池セルを封止した太陽電池パネルと、太陽電池パネルの周縁部に装着されるフレームとを備える太陽電池モジュールであって、フレームの太陽電池パネルの裏面側に設置される滑り止め部材を備えることを特徴とする。
【発明の効果】
【０００８】
本発明によれば、摩擦係数が小さい瓦などの屋根材の上に設置した場合でも、屋根から滑り落ちることを防止できるという効果を奏する。
【図面の簡単な説明】
【０００９】
【図１】図１は、実施の形態１に係る太陽電池モジュールが有する太陽電池パネルの分解斜視図である。
【図２】図２は、実施の形態１に係る太陽電池モジュールの分解斜視図である。
【図３】図３は、実施の形態１に係る太陽電池モジュールの断面図である。
【図４】図４は、太陽電池モジュールを屋根材の上に設置した状態を示す図である。
【図５】図５は、実施の形態２に係る太陽電池モジュールの構成を示す斜視図である。
【図６】図６は、太陽電池モジュールを固定金具に設置した状態の一例を示す図である。
【図７】図７は、平らな面に置いた太陽電池モジュールの側断面図である。
【図８】図８は、実施の形態３に係る太陽電池モジュールの構成を示す図である。
【発明を実施するための形態】
【００１０】
以下に、本発明にかかる太陽電池モジュールの実施の形態を図面に基づいて詳細に説明する。なお、この実施の形態によりこの発明が限定されるものではない。
【００１１】
実施の形態１．
図１は、本発明の実施の形態１に係る太陽電池モジュールが有する太陽電池パネルの分解斜視図である。図２は、実施の形態１に係る太陽電池モジュールの分解斜視図である。本実施の形態に係る太陽電池モジュールは、太陽電池セル３を複数個配列させて配線４で接続して太陽電池セルアレイ７とし、受光面側封止材２と裏面側封止材５とで挟み込み、さらに透光性基板１とバックシート６とで挟み込んだ太陽電池パネル８を有する構成である。太陽電池パネル８の周囲にはフレーム９が装着される。フレーム９は、アルミニウムなどの金属材料で形成されている。
【００１２】
図３は、実施の形態１に係る太陽電池モジュールの断面図である。フレーム９の下側には滑り止め防止部材としての滑り止め治具１０が設置されている。滑り止め治具１０は、フレーム９よりも摩擦係数が大きい合成樹脂を材料として形成されている。滑り止め治具１０は、不図示のネジや金具などを用いてフレーム９に固定されている。
【００１３】
図４は、太陽電池モジュールを屋根材の上に設置した状態を示す図である。図４に示すように、瓦などの滑りやすい屋根材１１の上に太陽電池モジュールを設置した場合でも、太陽電池モジュールに作用する自重（矢印Ａ）に抗して、滑り止め治具１０が摩擦力（矢印Ｂ）を発生させ、太陽電池モジュールの滑落は防止される。
【００１４】
また、複数枚の太陽電池モジュールを重ねる場合、フレーム９は別の太陽電池モジュールの透光性基板と接触せず、滑り止め治具１０が透光性基板１に接触する。これにより、太陽電池モジュールを重ねて積む場合には滑り止め治具１０が緩衝材として機能し、透光性基板１に傷がつくことを防止できる。
【００１５】
実施の形態２．
図５は、本発明の実施の形態２に係る太陽電池モジュールの構成を示す斜視図である。本実施の形態においては、合成樹脂で形成された滑り止め治具１０は、フレーム９の下面の角部に配置されている。
【００１６】
図６は、太陽電池モジュールを固定金具１２に設置した状態の一例を示す図である。フレーム９の下面の角部に滑り止め治具１０を有することにより、太陽電池モジュールと固定金具１２との固定作業時に、固定金具１２と滑り止め治具１０とが干渉しない構造となる。
【００１７】
図７は、平らな面に置いた太陽電池モジュールの側断面図である。フレーム９の下面の角部に滑り止め治具１０を配置することにより、太陽電池モジュールを平らな面に置いても、フレーム９の下面と載置面とに隙間（矢印Ｃ）が生じるため、隙間を利用して太陽電池モジュールを容易に持ち上げることが可能である。
【００１８】
実施の形態３．
図８は、本発明の実施の形態３に係る太陽電池モジュールの構成を示す図である。図８（ａ）は、実施の形態３に係る太陽電池モジュールの部分斜視図でありフレーム９の一部分を切り欠いて示している。図８（ｂ）は、実施の形態３に係る太陽電池モジュールの部分側面図である。本実施の形態においては、フレーム９の下面には被係合部としての係合穴９ａが設けられている。また、滑り止め治具１０には鉤状の凸部１０ａが設けられており、係合部９ａに引っかけることでネジや金具を用いることなく滑り止め治具１０をフレーム９に固定できるようになっている。
【００１９】
本実施の形態では、滑り止め治具１０をフレーム９から容易に取り外すことができるため、滑り止め治具１０の再利用が可能となる。
【００２０】
上記の実施の形態においては、滑り止め防止部材として滑り止め治具１０をフレーム９の下面に着脱可能に設置する構成を例としたが、フレーム９の下面に滑り止め防止部材として合成樹脂で形成されたシール材を貼り付けることでも同様の効果が得られる。この場合、シール材をネジや金具でフレーム９に取り付け可能な形状とする必要がないため、コストを低減できる。
【符号の説明】
【００２１】
１  透光性基板
２  受光面側封止材
３  太陽電池セル
４  配線
５  裏面側封止材
６  バックシート
７  太陽電池セルアレイ
８  太陽電池パネル
９  フレーム
１０  滑り止め治具
【図１】
2012256652.tif 000003
【図２】
2012256652.tif 000004
【図３】
2012256652.tif 000005
【図４】
2012256652.tif 000006
【図５】
2012256652.tif 000007
【図６】
2012256652.tif 000008
【図７】
2012256652.tif 000009
【図８】
2012256652.tif 000010